(57)【要約】      （修正有）【課題】燃料電池の出力制御を具備する電力混合装置を提供する。【解決手段】燃料電池の出力制御を具備する電力混合装置は、第１電力供給回路、及び、第２電力供給回路を含み、該第１電力供給回路が第１電力ユニット、第１電圧変換ユニット、センサーユニット、及び、制御ユニットを含み、前記電圧変換ユニットが該電力ユニットに接続し、且つ、直流電力の昇圧回路、或いは、直流電力の降圧回路を含むことができ、これを通じて該電力ユニットの直流電力を特定電圧のある直流電力に変換して出力する。該センサーユニットは該第１電力ユニットが出力した直流電力の電圧、或いは、電流を検出して、制御ユニットは該センサーユニットがフィードバックした電気信号に基づき、該第１電圧変換ユニットの直流電力の変換比例を制御、または、該第１電圧変換ユニットの直流電力の変換を停止させることで、該第１電力ユニットを保護できる。【選択図】図１
2009146895.tif 000002
【特許請求の範囲】
【請求項１】
燃料電池の出力制御を具備する電力混合装置であって、第１電力供給回路、及び、第２電力供給回路を含み、
前記第１電力供給回路は、
燃料電池の発電装置である第１電力ユニットと、
一端が前記第１電力ユニットの電力の電圧変換装置に電気的に接続し、且つ、前記第１電力ユニットの電力を第１電圧変換ユニットの入力側に入力した電力を特定電圧のある直流電力に変換して出力する第１電圧変換ユニットと、
電力検出装置であり、並びに、前記第１電力供給回路が伝送した電力特性を検出し、且つ、前記電力特性に対応する電気信号を出力するセンサーユニット、及び、
前記センサーユニットが出力した電気信号に基づいて、その電気信号に対応する特定の電圧信号を出力し、その入力側が前記センサーユニットに電気的に接続し、且つ、出力側が前記第１電圧変換ユニットに電気的に接続する制御ユニットを更に含み、
前記第２電力供給回路は、
発電装置である第２電力ユニット、及び、
一端が前記第２電力ユニットの電力の電圧変換装置に電気的に接続し、且つ、前記第２電力ユニットの電力を第２電圧変換ユニットの入力側に入力した電力を特定電圧のある直流電力に変換して出力する第２電圧変換ユニットを更に含み、
前記第１電力供給回路と前記第２電力供給回路は電気的に並列接続して出力し、且つ、前記制御ユニットは前記センサーユニットがフィードバックした信号に基づいて前記第１電圧変換ユニットの出力電圧と前記第２電圧変換ユニットの出力電圧との間の差異値を調整し、前記第１電力供給回路と前記第２電力供給回路が電力を前記負荷まで共同で出力させることを特徴とする、燃料電池の出力制御を具備する電力混合装置。
【請求項２】
請求項１記載の燃料電池の出力制御を具備する電力混合装置において、前記第１電圧変換ユニットは少なくとも１つの直流電力の昇圧回路と少なくとも１つの直流電力の降圧回路を含むことを特徴とする、燃料電池の出力制御を具備する電力混合装置。
【請求項３】
請求項１記載の燃料電池の出力制御を具備する電力混合装置において、前記第１制御ユニットは特定デューティサイクルのあるパルス信号を発生する電気装置であるパルス信号発生装置、及び、パルス信号を電圧の電気信号に変換する装置で、且つ、出力した電圧の電気信号が前記パルス信号発生装置のパルス信号に対応するパルス信号−電圧信号変換回路を更に含むことを特徴とする、燃料電池の出力制御を具備する電力混合装置。
【請求項４】
請求項３記載の燃料電池の出力制御を具備する電力混合装置において、前記パルス信号−電圧信号変換回路は電圧フォロワを含むことを特徴とする、燃料電池の出力制御を具備する電力混合装置。
【請求項５】
請求項３記載の燃料電池の出力制御を具備する電力混合装置において、前記第１制御ユニットはマイクロプロセッサを更に含み、且つ、前記マイクロプロセッサは前記センサーユニットが出力した電気信号を受信して対応的に前記パルス信号−電圧信号変換回路の出力を制御することを特徴とする、燃料電池の出力制御を具備する電力混合装置。
【請求項６】
請求項５記載の燃料電池の出力制御を具備する電力混合装置において、前記パルス信号−電圧信号変換回路は特定デューティサイクルのあるパルス信号を出力することを特徴とする、燃料電池の出力制御を具備する電力混合装置。
【請求項７】
請求項１記載の燃料電池の出力制御を具備する電力混合装置において、前記センサーユニットの局所は前記第１電力供給回路の電気回路に電気的に直列接続し、並びに、前記第１電力供給回路の電流丶電圧、或いは、電力等の電力状態を検出し、且つ、前記第１電力供給回路の電力状態に対応して電気信号を前記第１制御ユニットまで出力することを特徴とする、燃料電池の出力制御を具備する電力混合装置。
【請求項８】
請求項７記載の燃料電池の出力制御を具備する電力混合装置において、前記センサーユニットは抵抗素子と両端間電圧比較素子を更に含み、前記抵抗素子が前記第１電力供給回路内に電気的に接続し、且つ、両端間電圧比較素子が前記抵抗素子に電気的に接続し、前記両端間電圧比較素子は前記抵抗素子の両端間電圧に基づいて対応する電気信号を前記制御ユニットまで出力することを特徴とする、燃料電池の出力制御を具備する電力混合装置。
【請求項９】
請求項８記載の燃料電池の出力制御を具備する電力混合装置において、前記両端間電圧比較素子は電圧差動増幅器からなる回路で、前記両端間電圧比較素子の両入力側が前記抵抗素子の両端に電気的に並列接続し、前記両端間電圧比較素子の出力側が前記制御ユニットに電気的に接続し、且つ、前記両端間電圧比較素子の出力側が前記抵抗素子の両端間電圧に対応する電気信号を出力することを特徴とする、燃料電池の出力制御を具備する電力混合装置。
【請求項１０】
請求項１記載の燃料電池の出力制御を具備する電力混合装置において、前記第１電圧変換ユニットは電圧変換回路、電圧変換制御装置、及び、判断装置を更に含み、前記電圧変換制御装置は前記電圧変換回路がエネルギー蓄積状態、或いは、エネルギー放出状態の電気回路を選択するよう制御し、前記判断装置は一端が前記制御ユニットの電圧信号出力側に電気的に接続し、並びに、前記制御ユニットが出力した電圧信号に基づいて、対応する電気信号を前記電圧変換制御装置にフィードバックすることを特徴とする、燃料電池の出力制御を具備する電力混合装置。
【請求項１１】
請求項１０記載の燃料電池の出力制御を具備する電力混合装置において、前記判断装置は電圧差動増幅器と参照電圧装置を更に含み、前記電圧差動増幅器の入力側は前記制御ユニットの出力側に電気的に接続し、且つ、他の入力側が前記参照電圧装置に電気的に接続して、前記フィードバックした電圧接続側の電圧と前記参照電圧装置の電圧を比較し、並びに、当該比較結果を前記電圧変換制御装置まで出力することを特徴とする、燃料電池の出力制御を具備する電力混合装置。
【請求項１２】
請求項１１記載の燃料電池の出力制御を具備する電力混合装置において、前記電圧変換制御装置は前記電圧差動増幅器の比較結果に基づいてデューティサイクル信号を出力することで、前記電圧変換回路がエネルギー蓄積状態、或いは、エネルギー放出状態の電気回路を選択するよう制御することを特徴とする、燃料電池の出力制御を具備する電力混合装置。
【請求項１３】
請求項１記載の燃料電池の出力制御を具備する電力混合装置において、前記制御ユニットは前記センサーユニットが出力した電気信号に基づいて、その電気信号に対応して特定の電圧信号を出力し、前記制御ユニットの入力側が前記センサーユニットに電気的に接続し、且つ、出力側が前記第１電圧変換ユニットに電気的に接続することを特徴とする、燃料電池の出力制御を具備する電力混合装置。
【請求項１４】
請求項１３記載の燃料電池の出力制御を具備する電力混合装置において、前記制御ユニットのもう１つの出力側は前記第２電圧変換ユニットに電気的に接続することを特徴とする、燃料電池の出力制御を具備する電力混合装置。
【請求項１５】
請求項１記載の燃料電池の出力制御を具備する電力混合装置において、前記制御ユニットは前記センサーユニットが出力した電気信号に基づいて、その電気信号に対応して特定の電圧信号を出力し、前記制御ユニットの入力側が前記センサーユニットに電気的に接続し、且つ、出力側が前記第２電圧変換ユニットに電気的に接続することを特徴とする、燃料電池の出力制御を具備する電力混合装置。
【請求項１６】
請求項１記載の燃料電池の出力制御を具備する電力混合装置において、複数の第１電力供給回路を更に含み、且つ、各第１電力供給回路が電気的に並列接続して出力することを特徴とする、燃料電池の出力制御を具備する電力混合装置。
【請求項１７】
請求項１記載の燃料電池の出力制御を具備する電力混合装置において、前記第１電力供給回路は複数の第１電力ユニットと複数の第１電圧変換ユニットを更に含み、且つ、各第１電力ユニットが電気的に並列接続して出力し、各第１電圧変換ユニットが電気的に並列接続して出力することを特徴とする、燃料電池の出力制御を具備する電力混合装置。
【請求項１８】
請求項１記載の燃料電池の出力制御を具備する電力混合装置において、前記第１電力供給回路の出力電圧の電圧設定値は前記第２電力供給回路の出力設定電圧より略高い場合、前記第１電力供給回路が出力した電力は前記第２電力供給回路が出力した電力より高いことに対応し、及び、前記第１電力供給回路の出力電圧の電圧設定値が前記第２電力供給回路の出力設定電圧より略低い場合、前記第１電力供給回路が出力した電力は前記第２電力供給回路が出力した電力より低いことに対応することを特徴とする、燃料電池の出力制御を具備する電力混合装置。
【請求項１９】
請求項１記載の燃料電池の出力制御を具備する電力混合装置において、前記制御ユニットは前記センサーユニットがフィードバックした信号に基づいて前記第１電圧変換ユニットの出力電圧と前記第２電圧変換ユニットの出力電圧との間の差異値を調整し、且つ、前記電圧差異値の形成は特定デューティサイクルの電圧信号により、前記第１電力供給回路と前記第２電力供給回路の出力電力分配比を制御し、前記第１電力供給回路と前記第２電力供給回路が電力を前記負荷まで共同で出力することを特徴とする、燃料電池の出力制御を具備する電力混合装置。
【請求項２０】
請求項１記載の燃料電池の出力制御を具備する電力混合装置において、前記第２電圧変換ユニットは少なくとも１つの直流電力の昇圧回路と少なくとも１つの直流電力の降圧回路を含むことを特徴とする、燃料電池の出力制御を具備する電力混合装置。
【請求項２１】
請求項１記載の燃料電池の出力制御を具備する電力混合装置において、前記センサーユニットは前記第１電力供給回路内の高電位側、または、低電位側のうちのいずれか位置を選択して設置することを特徴とする、燃料電池の出力制御を具備する電力混合装置。
【請求項２２】
請求項１記載の燃料電池の出力制御を具備する電力混合装置において、前記制御ユニットは電圧発生装置と分圧ユニットを含み、前記電圧発生装置が第２電圧差動増幅器を含み、前記第２電圧差動増幅器が参照電圧を具備し、並びに、前記第２電圧差動増幅器の入力側が前記センサーユニットの出力側に電気的に接続し、前記第２電圧差動増幅器の出力側が前記分圧ユニットの第２抵抗素子に電気的に接続することを特徴とする、燃料電池の出力制御を具備する電力混合装置。
【請求項２３】
請求項２２記載の燃料電池の出力制御を具備する電力混合装置において、前記第１電圧変換ユニットは直流電力のエネルギー蓄積と放出手段の電気回路で、入力側の電力を特定の大きさの電圧の電力に変換して出力できる電圧変換回路と、前記電圧変換回路がエネルギー蓄積状態、或いは、エネルギー放出状態の電気回路を選択するよう制御する電圧変換制御装置、及び、一端が前記制御ユニットの電圧信号出力側に電気的に接続し、並びに、前記制御ユニットが出力した電圧信号に基づいて、対応する電気信号を前記電圧変換制御装置にフィードバックする判断装置を更に含むことを特徴とする、燃料電池の出力制御を具備する電力混合装置。
【請求項２４】
請求項２３記載の燃料電池の出力制御を具備する電力混合装置において、前記電圧変換制御装置、前記判断装置、前記分圧ユニット、前記制御ユニット、及び、前記センサーユニットは電気的に接続して集積回路を構成できることを特徴とする、燃料電池の出力制御を具備する電力混合装置。
【発明の詳細な説明】
【技術分野】
【０００１】
本発明は、燃料電池の出力制御を具備する電力混合装置に関り、特に、異なる電力供給装置を相互に合わせることで、負荷側に要する電力需要を提供することに関る。
【背景技術】
【０００２】
燃料電池は、既知技術において、燃料電池の動作特性により、燃料電池に負荷を外付けた時、その電圧電流特性が負荷の重さに伴って変わることが分かっている。燃料電池が負荷側の電力需要の供給に不足する場合、燃料電池は十分な起電力を発生できず、間接的に燃料電池本体の運転を損なう恐れがあるため、電力混合装置は、その他二次電池或いはその他直流電源供給装置を利用して補助することで、負荷側の電力供給における心配がないよう確保していた。
【０００３】
しかしながら上述の目的はやはり該出力電圧電流の安定性を精確に確定することができず、これにより、本発明は既知の燃料電池の出力制御を具備する電力混合装置の欠陥に鑑み、正確に該入出力の電圧電流を動的に制御でき、且つその電圧出力を安定する電力混合装置を提供することをその課題としている。
【発明の開示】
【発明が解決しようとする課題】
【０００４】
本発明の燃料電池の出力制御を具備する電力混合装置は、第１電力供給回路及び第２電力供給回路を含み、該第１電力供給回路と該第２電力供給回路は各々電力を出力して、該第１電力供給回路と該第２電力供給回路からなる混合電力システムに提供することができ、また出力側の負荷の電力需要に基づいて対応する電力を出力する。
【課題を解決するための手段】
【０００５】
上述の目的を達成するため、本発明で提供する燃料電池の出力制御を具備する電力混合装置は、第１電力ユニット、第１電圧変換ユニット、センサーユニット及び制御ユニットを含み、該第１電力ユニットは水素リッチ燃料と酸素の化学反応を通じて電気を生成する発電装置である。該第１電圧変換ユニットは直流電力の電圧変換装置で、且つ直流電力の昇圧回路或いは直流電力の降圧回路を含むことができ、これを通じて該第１電力ユニットの該第１電圧変換ユニットの入力側に入力した直流電力を特定電圧のある直流電力に変換して出力する。該センサーユニットは電力検出装置で、該第１電力供給回路が伝送した電力特性を検出し、また該電力特性に対応する電気信号を出力することに用いる。該第１電力供給回路と該第２電力供給回路は電気的に並列接続して出力し、且つ該制御ユニットは該センサーユニットがフィードバックした信号に基づいて該第１電圧変換ユニットの出力電圧と該第２電圧変換ユニットの出力電圧との間の差異値を調整し、該第１電力供給回路と該第２電力供給回路が電力を該負荷に共同で出力させる。これにより、本発明の燃料電池の出力制御を具備する電力混合装置は、該第１電力ユニットが安定した電力出力を保持させ、且つ同時に該第１電圧変換ユニットと該第２電圧変換ユニットの電圧制御を通じ、及び該第２電力供給回路の電力出力に合わせることで、該負荷の各々低負荷区と高負荷区の電力需要を満たすことができる。
【０００６】
更に、前記本発明の燃料電池の出力制御を具備する電力混合装置において、該第２電力供給回路は第２電力ユニット及び第２電圧変換ユニットを含み、該第２電力ユニットはもう一つの発電装置とすることができ、例えば機械式発電機、一次電池或いは二次電池で、並びに電力を該第２電圧変換ユニットに出力できる。及び該第２電圧変換ユニットは電力の電圧変換装置で、且つ直流電力の昇圧回路或いは直流電力の降圧回路を含むことができ、これを通じて該第２電力ユニットの該第２電圧変換ユニットの入力側に入力した電力を特定電圧のある直流電力に変換して出力する。
【０００７】
該第１電力ユニットが出力した直流電力は該第１電力供給回路を経由して該第１電圧変換ユニットまで伝送し、直流電力の電圧変換を行うことで、特定電圧の直流電力を出力し、該負荷に要する直流電力を供給するため、該負荷まで伝送できる。更に、該センサーユニットは該第１電力供給回路の電流、電圧或いは電力状態を検知でき、並びに検知した結果を対応の信号で該制御ユニットにフィードバックする。該制御ユニットは該センサーユニットがフィードバックした信号に基づき、対応する電圧信号を該第１電圧変換ユニットまで出力することで、該第１電圧変換ユニットの作動を制御する。前記センサーユニットは該第１電力ユニットが出力した直流電力の電圧或いは電流の検出に用いることができ、該センサーユニットがフィードバックした電気信号に基づき、該第１電圧変換ユニットの直流電力変換比例を制御できる。こうすることで第１電力ユニットが出力した直流電力の電圧或いは電流の大きさを制御し、該第１電力ユニットを保護できる。
【０００８】
その他、前記制御ユニットは、別のマイクロコントローラで代用でき、且つ該マイクロコントローラは論理演算を通じて、対応する制御を行うことができる。
【０００９】
当該技術を熟知する者に本発明の目的、特徴及び効果について理解していただくため、下記の具体的な実施例を介し付属の図面を組み合わせることで、本発明に対する詳細な説明を後記のとおり行うものである。
【実施例】
【００１０】
図１は、本発明の燃料電池の出力制御を具備する電力混合装置の第１具体的な実施例を示したデバイス関係図である。本発明の燃料電池の出力制御を具備する電力混合装置は、第１電力供給回路１００及び第２電力供給回路２００を含み、該第１電力供給回路１００と該第２電力供給回路２００は、各々電力を出力して、該第１電力供給回路１００と該第２電力供給回路２００からなる混合電力システムに提供でき、並びに出力側の負荷３００の電力需要によって対応する電力を出力する。
【００１１】
前記本発明の燃料電池の出力制御を具備する電力混合装置において、該第１電力供給回路１００は、第１電力ユニット１１、第１電圧変換ユニット１２、センサーユニット１３及び制御ユニット１４を含む。該第１電力ユニット１１はは水素リッチ燃料と酸素の化学反応を通じて電気を生成する発電装置である。該第１電圧変換ユニット１２は一端が第１電力ユニット１１の直流電力の電圧変換装置に電気的に接続し、且つ直流電力の昇圧回路或いは直流電力の降圧回路を含むことができ、これを介して該第１電力ユニット１１の該第１電圧変換ユニット１２の入力側に入力した直流電力を特定電圧のある直流電力に変換して出力する。該センサーユニット１３が電力検出装置で、該第１電力供給回路１００が伝送した電力特性を検出し、また該電力特性に対応する電気信号を出力することに用い、例を挙げて言うと、該電力特性は該第１電力供給回路１００の局所回路の電流、電圧或いは電力の大きさとすることができる。及び該制御ユニット１４は入力された電気信号に基づき対応する電圧信号を出力でき、且つ該制御ユニット１４は該センサーユニット１３と該第１電圧変換ユニット１２に電気的に接続し、また該センサーユニット１３が提供した電力特性信号に基づき、対応する電圧信号を発生させてから、この電圧信号を該第１電圧変換ユニット１２にフィードバックすることで、該第１電圧変換ユニット１２の電圧変換後に出力した電力の電圧の大きさを選択する。
【００１２】
更に、前記本発明の燃料電池の出力制御を具備する電力混合装置において、該第２電力供給回路２００は第２電力ユニット２１及び第２電圧変換ユニット２２を含み、前記第２電力ユニット２１はもう一つの発電装置とすることができ、例えば機械式発電機、一次電池或いは二次電池で、また電力を該第２電圧変換ユニット２２まで出力することできる。及び該第２電圧変換ユニット２２は一端が該第２電力ユニット２１の電力の電圧変換装置に電気的に接続し、且つ直流電力の昇圧回路或いは直流電力降圧回路を含むことができ、これを通じて該第２電力ユニット２１の該第２電圧変換ユニット２２の入力側に入力した電力を特定電圧のある直流電力に変換して出力する。
【００１３】
これにより、該第１電力ユニット１１が出力した直流電力は該第１電力供給回路１００を経由して該第１電圧変換ユニット１２まで伝送し、直流電力の電圧変換を行うことで特定電圧の直流電力を出力し、該負荷３００に要する直流電力を供給するため、該負荷３００まで伝送できる。更に、該センサーユニット１３は該第１電力供給回路１００の電流、電圧或いは電力状態を検知でき、また検知した結果を対応の信号で該制御ユニット１４にフィードバックし、該制御ユニット１４は該センサーユニット１３がフィードバックした信号に基づき、対応する電圧信号を該第１電圧変換ユニット１２まで出力することで、該第１電圧変換ユニット１２の作動を制御する。該第１電力供給回路１００の電流の検出を実施態様とする時、且つ該センサーユニット１３が検出した電流の大きさは第１所定範囲内にある時、該制御ユニット１４は対応する電圧信号を出力することで、該第１電圧変換ユニット１２が入力した直流電力を安定電圧の電力に変換して出力するよう制御できる。及び該センサーユニット１３が検出した電流の大きさは第２所定範囲内にある時、該制御ユニット１４は対応する別の電圧信号を出力することで、該第１電圧変換ユニット１２が入力した直流電力を特定電圧の電力に変換して出力するよう制御でき、並びに該センサーユニット１３が検出した電力特性を該第１所定範囲内に戻させることができる。通常でも、定義した第２所定範囲が定義した第１所定範囲より高く、該第１電力ユニット１１が出力した電流を制限させることで、該第１電力ユニット１１の出力電力を制御し、且つ該第１電力ユニット１１を保護することができる。
【００１４】
前記センサーユニット１３は、該第１電力ユニット１１が出力した直流電力の電圧或いは電流を検出することに用い、該センサーユニット１３がフィードバックした電気信号に基づいて該第１電圧変換ユニット１２の直流電力変換比例を制御することで、負荷３００が低負荷の時、第１電力供給回路１００が供給し、また高負荷の時、第１電力供給回路１００及び第２電力供給回路２００の混合電力により給電効果を奏することで、該第１電力ユニット１１を保護できる。
【００１５】
更に図２は、本発明の燃料電池の出力制御を具備する電力混合装置の第２具体的な実施例を示したデバイス関係図である。前記本発明の燃料電池の出力制御を具備する電力混合装置において、該第１電圧変換ユニット１２は電圧変換回路１２１を更に含むことができる。該電圧変換回路１２１は入力した直流電力をエネルギー蓄積と放出手段を行うことができる電気回路で、且つ該電圧変換回路１２１は該第１電力供給回路１００内に電気的に直列接続し、また該制御ユニット１４が提供した電圧信号により該電圧変換回路１２１の作動を制御する。
【００１６】
更に、前記第１電圧変換ユニット１２は電圧変換回路１２１、電圧変換制御装置１２２及び判断装置１２３を更に含む。該電圧変換回路１２１は直流電力のエネルギー蓄積と放出手段の電気回路で、並びに入力側の電力を特定の大きさの電圧の電力出力に変換できる。該電圧変換制御装置１２２は該電圧変換回路１２１がエネルギー蓄積状態或いはエネルギー放出状態を選択するよう制御する電気回路である。及び該判断装置１２３は一端が該制御ユニット１４の電圧信号出力側に電気的に接続し、また該制御ユニット１４が出力した電圧信号に基づき、対応する電気信号を該電圧変換制御装置１２２までフィードバックする。該電圧変換回路１２１について昇圧回路を例とすると、該センサーユニット１３が出力した電気信号は該制御ユニット１４を経由した後に電圧信号に変換すると共に該第１電圧変換ユニット１２の判断装置１２３までフィードバックできる。次に、該判断装置１２３は該制御ユニット１４が出力した電圧信号に基づき、更に対応する電気信号を該電圧変換制御装置１２２までフィードバックする。最後に、該電圧変換制御装置１２２は該判断装置１２３が出力した電気信号に基づき該第１電圧変換ユニット１２の直流電力のエネルギー蓄積と放出手段のオン或いはオフを選択する。そのため、該センサーユニット１３が検出した電流量は所定範囲以下となった時、該電圧変換回路１２１が入力した直流電力を固定電圧値の出力電力に変換させることができる。及び該センサーユニット１３が検出した電流量は該所定範囲より大きくなった時、該電圧変換回路１２１が出力電力の電圧の大きさを下降させ、且つ該センサーユニット１３が検出した電流量は該所定範囲内に戻させることができ、該電圧変換回路１２１が固定出力電圧の電力昇圧変換動作の保持或いは該電圧変換回路１２１の電力昇圧変換動作後の出力電圧値を下降するよう制御することで、該第１電力供給回路１００の電流量を更に制限できる。
【００１７】
その他、前記判断装置１２３は電圧差動増幅器１２３ａとすることができ、且つ該電圧差動増幅器１２３ａの入力側は該制御ユニット１４の出力側に電気的に接続し、該電圧差動増幅器の他入力側は参照電圧１２３ｂに電気的に接続し、且つ該電圧差動増幅器１２３ａの出力側は該電圧変換制御装置１２２に電気的に接続する。前記判断装置１２３は変換結果を該電圧変換制御装置１２２に出力でき、且つ該電圧変換制御装置１２２は該判断装置１２３の変換結果に基づいてデューティサイクル信号を出力して該電圧変換回路１２１がエネルギー蓄積或いはエネルギー放出手段を選択するよう制御することで、電圧変換を実現する。
【００１８】
前記センサーユニット１３は抵抗素子１３１、電圧差動増幅器１３２を更に含む。前記抵抗素子１３１は該第１電力供給回路１００内の抵抗に電気的に直列接続する。及び該電圧差動増幅器１３２は演算増幅器からなる電圧差動増幅回路で、且つ該電圧差動増幅器１３２の両入力側は該抵抗素子１３１の両端に電気的に並列接続し、該抵抗素子１３１両端の電圧差を比較し、並びに該抵抗素子１３１両端の電圧差に基づいて該電圧差動増幅器１３２の出力側から対応する電気信号を出力できることに用いる。
【００１９】
前記実施例において、該センサーユニット１３は主に検出した第１電力供給回路１００の電力特性（例えば電流の大きさの特性）をデジタル或いはアナログ信号の電気信号に変換して出力できる。該センサーユニット１３が出力した電気信号及び該第１電圧変換ユニット１２の電圧変換回路１２１が出力した電圧信号に基づいて、該制御ユニット１４が対応する制御信号を出力することで、該第１電圧変換ユニット１２内の電圧変換回路１２１を制御できるため、該電圧変換回路１２１は特定の電圧信号を出力できる。該制御ユニット１４は、いかなる入力した電気信号を対応する電圧信号に変換できることで結構で、この種の装置にはデジタル−アナログ変換器を更に含む。
【００２０】
前記本発明の燃料電池の出力制御を具備する電力混合装置において、該制御ユニット１４は分圧ユニット１４１、電圧発生装置１４２及びマイクロプロセッサ１４３を更に含み、且つ該分圧ユニット１４１は第１抵抗素子１４１ａ、第２抵抗素子１４１ｂ、第３抵抗素子１４１ｃ及び電圧信号出力側１４１ｄを更に含む。該第１抵抗素子１４１ａの他端は該第１電力供給回路１００内の電圧変換回路１２１の出力側に電気的に接続し、該第２抵抗素子１４１ｂの他端は該電圧発生装置１４２の出力側に電気的に接続し、及び該第３抵抗素子１４１ｃの他端は電圧レベル端に電気的に接続する。該電圧発生装置１４２は該センサーユニット１３が出力した電気信号に基づいて、対応的に電圧信号を該分圧ユニット１４１内の第２抵抗素子１４１ｂに出力する。及び該マイクロプロセッサ１４３は論理演算及び論理制御の手法を具備し、該電圧差動増幅器１３２が出力した電気信号に基づいて論理演算を行い、且つ対応の電気信号を出力することで、該制御ユニット１４が対応する電圧信号を出力するよう制御し、該マイクロプロセッサ１４３の制御もと、及び該第１電圧変換ユニット１２が対応する作動を発生させて、該第１電力供給回路１００の電流量の監視制御を実現する。このため、該電圧信号出力側１４１ｄの電圧が参照電圧と一致しなければならず、該電圧変換回路１２１が出力した電圧は、第１抵抗素子１４１ａ、第２抵抗素子１４１ｂ及び第３抵抗素子１４１ｃが形成した該分圧ユニット１４１により該制御ユニット１４の出力側と電圧依存状態を形成できる。
【００２１】
更に具体的に言うと、前記本発明の燃料電池の出力制御を具備する電力混合装置において、該制御ユニット１４内の電圧発生装置１４２はパルス信号発生装置１４２ａ及びパルス信号−電圧信号変換回路１４２ｂを更に含む。該パルス信号発生装置１４２ａはパルス信号を発生する電気装置で、且つ該パルス信号発生装置１４２ａは該マイクロプロセッサ１４３が提供する制御信号に基づき特定デューティサイクル（ｄｕｔｙ ｃｙｃｌｅ）のあるパルス信号を出力する。及び該パルス信号−電圧信号変換回路１４２ｂは該パルス信号発生装置１４２ａが提供するパルス信号の大きさとパルス信号のデューティサイクルに基づき対応する電圧信号を出力し、並びに出力した電圧信号を該分圧ユニット１４１と制御ユニット１４の電気的な接続側まで伝送する。
【００２２】
前記パルス信号−電圧信号変換回路１４２ｂは、更に電圧フォロワとすることができ、これを介して出力側の影響を引き下げる。
【００２３】
前記制御ユニット１４内のパルス信号発生装置１４２ａは、出力したパルス信号の幅変調を通じて、該パルス信号−電圧信号変換回路１４２ｂの該分圧ユニット１４１に出力する電圧の大きさを調整できる。
【００２４】
前記本発明の燃料電池の出力制御を具備する電力混合装置において、該電圧差動増幅器１３２の両入力側は、該抵抗素子１３１の両端にブリッジ接続され、且つ該抵抗素子１３１は該第１電力供給回路１００に電気的に直列接続する。更に、該センサーユニット１３の抵抗素子１３１は該第１電力供給回路１００内に電気的に直列接続し、且つ該第１電力ユニット１１或いは負荷３００に対向する高電位側（ｈｉｇｈ ｓｉｄｅ）或いは低電位側（ｌｏｗ ｓｉｄｅ）に設置することができる。
【００２５】
前記本発明の燃料電池の出力制御を具備する電力混合装置において、該センサーユニット１３内の抵抗素子１３１と該電圧差動増幅器１３２で構成される電流検出回路もその他の該第１電力供給回路１００の出力電流を検出できるいかなる装置とすることができるため、局所を該第１電力供給回路１００に電気的に直列接続する必要がない。例を挙げて言うと、該センサーユニット１３にはホール素子を含むことができ、これを介して該第１電力供給回路１００の出力電流を検出する。
【００２６】
前記本発明の燃料電池の出力制御を具備する電力混合装置において、該第１電圧変換ユニット１２内の電圧変換回路１２１は直流電力の昇圧回路、直流電力の降圧回路或いは直流電力の昇圧と降圧回路の合成回路とすることができる。
【００２７】
前記本発明の燃料電池の出力制御を具備する電力混合装置において、該マイクロプロセッサ１４３は同時に該第２電力供給回路２００の第２電圧変換ユニット２２の電圧変換動作の制御を提供し、本発明の燃料電池の出力制御を具備する電力混合装置は、各電圧変換ユニットの制御を通じて対応する電力供給回路の出力電圧を決定でき、及び該第１電力ユニット１１の出力電力を制御でき、またこれにより各電力供給回路の間の切り換え、若しくは各電力供給回路の電力出力の分配を選択できる。
【００２８】
前記本発明の燃料電池の出力制御を具備する電力混合装置に基づき、該マイクロプロセッサ１４３は該センサーユニット１３の信号と予め設定した電圧、電流或いは電力値の比較を受信して、対応する制御信号を該制御ユニット１４内のパルス信号発生装置１４２ａに出力し、該パルス信号発生装置１４２ａが特定デューティサイクルのある電気信号を該パルス信号−電圧信号変換回路１４２ｂに出力させ、並びに該分圧ユニット１４１に伝送する。次に、キルヒホフ電流の法則によると、該分圧ユニット１４１の電圧信号出力側１４１ｄの電圧値は該電圧変換回路１２１の電力出力側の電圧に伴い変わることができる。該電圧変換制御装置１２２は該電圧信号出力側１４１ｄに入力した電圧値に基づいて、該電圧変換回路１２１の直流電力のエネルギー蓄積と放出手段のオンまたはオフを選択することで、該電圧変換回路１２１が対応する電圧変換動作を発生させる。且つ該判断装置１２３が該電圧信号出力側１４１ｄの電圧値の大きさを判断して判断結果に対応する電気信号を該電圧変換制御装置１２２まで出力する。及び該電圧変換制御装置１２２は該判断装置１２３がフィードバックした電気信号に基づき、該第１電圧変換ユニット１２の直流電力のエネルギー蓄積と放出手段のオンまたはオフを選択することで、該第１電圧変換ユニット１２の直流電力の電圧変換実現及び該第１電力供給回路１００の電流量を制限する。前記電流制限手段もとにおいて、該第１電力供給回路１００が出力した電力が該負荷３００の電力需要供給に不足した場合、該第２電力供給回路２００が自動的に該第２電力ユニット２１の電力を出力して、電力需要を補充できる。
【００２９】
図３は、本発明の燃料電池の出力制御を具備する電力混合装置の第３具体的な実施例を示すデバイス関係図である。前記本発明の燃料電池の出力制御を具備する電力混合装置に基づき、該制御ユニット１４の電圧発生装置１４２は、第２電圧差動増幅器１４２ｄを更に含み、且つ該第２電圧差動増幅器１４２ｄが参照電圧を具備し、並びに該第２電圧差動増幅器１４２ｄの入力側が該センサーユニット１３の出力側に電気的に接続し、該第２電圧差動増幅器１４２ｄの出力側が該分圧ユニット１４１の第２抵抗素子１４１ｂに電気的に接続することで、該第２電圧差動増幅器１４２ｄが該センサーユニット１３の入力電圧と参照電圧を比較した後、該第２電圧差動増幅器１４２ｄが対応的に電圧信号を該第２抵抗素子１４１ｂまで出力させる。該分圧ユニット１４１の電圧信号出力側１４１ｄの電圧信号のレベルがこれにより変調されるため、該分圧ユニット１４１の電圧信号出力側１４１ｄが該電圧変換回路１２１出力側の電圧に反応できる。
【００３０】
前記実施例において、該電圧変換制御装置１２２、該判断装置１２３、分圧ユニット１４１、制御ユニット１４及びセンサーユニット１３は電気的に接続して集積回路（ＩＣ）を構成することができる。
【００３１】
図１を組み合わせて、同時に更に図４を参照し、図４は本発明の燃料電池の出力制御を具備する電力混合装置の信号制御見取図である。前記本発明の燃料電池の出力制御を具備する電力混合装置に基づいて、該第１電力供給回路１００の第１電力ユニット１１は電力を発生すると共に該第１電圧変換ユニット１２により電力変換を行って出力した電力は、第１電力供給回路の出力電力１００１で、且つ出力電圧が第１電力供給回路の出力電圧設定値１００４で、該負荷３００の運転に消費した電力が負荷損失電力１００２とし、該第２電力供給回路２００の第２電力ユニット２１が発生した電力は該第２電圧変換ユニット２２により電力変換を行って出力した電力が第２電力供給回路の出力電力１００３で、且つ出力電圧が第２電力供給回路の出力電圧設定値１００５とする。図４に示す信号制御見取図において、第１電力供給回路の出力電力１００１が負荷損失電力１００２より大きいか等しくなった時低負荷区と定義する。第１電力供給回路の出力電力１００１が負荷損失電力１００２より小さくなった時、高負荷区と定義する。低負荷区の状態において、該第１電力供給回路の出力電圧設定値１００４が該第２電力供給回路の出力電圧設定値１００５より略高い場合、該第２電力供給回路２００が出力した第２電力供給回路の出力電力１００３をゼロにさせ、該第１電力供給回路の出力電力１００１が該負荷３００の負荷損失電力１００２を満たすことができる。及び高負荷区の状態において、該制御ユニット１４は該センサーユニット１３がフィードバックした信号に基づいて該第１電圧変換ユニット１２の電圧変換比を調整し、該第１電力供給回路の出力電圧設定値１００４と該第２電力供給回路の出力電圧設定値１００５との間に差異値を発生させ、且つ該第１電力供給回路１００と該第２電力供給回路２００が電力を該負荷３００に共同で出力させ、同時に該第１電力供給回路の出力電力１００１と該第２電力供給回路の出力電力１００３の出力電力総計が該負荷３００の負荷損失電力１００２に等しくさせる。これにより、本発明の燃料電池の出力制御を具備する電力混合装置は該第１電力ユニット１１の最大供給電力を制限でき、且つ同時に該第１電圧変換ユニット１２の電圧制御を通じ、並びに該第２電力供給回路２００の電力出力に合わせ、安定した電力出力を保持することで、更に該負荷３００が各々低負荷区と高負荷区における電力需要を満たすことができる。
【００３２】
更に具体的に言うと、定常出力下の高負荷区の出力分配比において、該第１電力供給回路の出力電力１００１が該第２電力供給回路出力電力１００３より高い時、該第１電力供給回路の出力電圧設定値１００４が高負荷区において第１電圧設定値１００４ａを採り、且つ該第１電圧設定値１００４ａが該第２電力供給回路の出力電圧設定値１００５より略高くさせることができる。その他、定常出力下の高負荷区の出力分配比において、該第１電力供給回路の出力電力１００１が該第２電力供給回路の出力電力１００３より低い時、該第１電力供給回路の出力電圧設定値１００４が高負荷区において第２電圧設定値１００４ｂを採り、且つ該第２電圧設定値１００４ｂが該第２電力供給回路の出力電圧設定値１００５より略低くさせることができる。前記高負荷区において、該第１電力供給回路の出力電圧設定値１００４の第１電圧設定値１００４ａと該第２電力供給回路の出力電圧設定値１００５の差異値、或いは該第１電力供給回路の出力電圧設定値１００４の第２電圧設定値１００４ｂと該第２電力供給回路の出力電圧設定値１００５の差異値は、該第１電力供給回路の出力電力１００１と該第２電力供給回路の出力電力１００３の比例として決定できる。
【００３３】
図５は、本発明の燃料電池の出力制御を具備する電力混合装置の別の信号制御見取図である。この実施例において、高負荷区にある時、本発明の燃料電池の出力制御を具備する電力混合装置は該第１電力供給回路の出力電圧設定値１００４の制御を通じて、高負荷区において形成した比較的高い電位の第３電圧設定値１００４ｃと比較的低い電位の第４電圧設定値１００４ｄは、行き来する電圧信号形態とする。該第１電力供給回路の出力電圧設定値１００４と該第２電力供給回路の出力電圧設定値１００５の差異値の制御を通じ、該第１電力供給回路の出力電力１００１と該第２電力供給回路の出力電力１００３の出力分配比を制御でき、該第１電力供給回路の出力電力１００１と該第２電力供給回路の出力電力１００３の総計が該負荷３００に要する負荷損失電力１００２を達成させることができる。その他、該第１電力供給回路の出力電圧設定値１００４が高負荷区における第３電圧設定値１００４ｃと第４電圧設定値１００４ｄの行き来によって形成したデューティサイクル（ｄｕｔｙ ｃｙｃｌｅ）の制御を通じ、該第１電力供給回路の出力電力１００１と該第２電力供給回路の出力電力１００３の出力分配比を制御し、該第１電力供給回路の出力電力１００１と該第２電力供給回路の出力電力１００３の総計が該負荷３００に要する負荷損失電力１００２を達成させることができる。
【００３４】
図６は、本発明の燃料電池の出力制御を具備する電力混合装置の第４具体的な実施例を示すデバイス関係図である。本発明の燃料電池の出力制御を具備する電力混合装置は、主に第１電力ユニット４１、第１電圧変換ユニット４２、センサーユニット４３、制御ユニット４４及び第１電力供給回路４００を含み、第１電力ユニット４１が出力した直流電力は該第１電力供給回路４００を経由して該第１電圧変換ユニット４２まで伝送させることで、直流電力の電圧変換を行って特定電圧の直流電力を出力でき、且つ電圧を変換した後の直流電力が該第１電力供給回路４００を再度経由して該負荷６００まで伝送することで、該負荷６００に要する直流電力を供給できる。
【００３５】
前記本発明の燃料電池の出力制御を具備する電力混合装置において、該第１電圧変換ユニット４２は、入力された直流電力をエネルギー蓄積と放出手段を行うことができる電気回路で、且つ該第１電圧変換ユニット４２は該第１電力供給回路４００内に電気的に接続し、並びに該制御ユニット４４が提供した制御信号により該第１電圧変換ユニット４２の作動を制御する。該制御ユニット４４は論理運算と論理制御電気回路で、例えばマイクロコントローラで、これは各々電気信号を入力と出力できる入力側と出力側を具備し、これを介して論理運算に要するフィードバック信号を各々提供し、並びに論理運算後に得た制御信号を出力する。該センサーユニット４３は該第１電力供給回路４００の電流、電圧或いは電力を検出でき、また検出した結果を対応する信号で該制御ユニット４４にフィードバックする。該制御ユニット４４は該センサーユニット４３がフィードバックした信号に基づいて、対応する制御信号を該第１電圧変換ユニット４２まで出力することで、該第１電圧変換ユニット４２の作動を制御する。該センサーユニット４３が検出した電力特性は第１所定範囲内にある時、該制御ユニット４４が対応的に制御信号を出力することで、該第１電圧変換ユニット４２が入力した直流電力を安定した電圧の電力出力に変換するよう制御できる。及び、該センサーユニット４３が検出した電力特性は第２所定範囲内にある時、該制御ユニット４４は対応的に別の制御信号を出力することで、該第１電圧変換ユニット４２が入力した直流電力を特定電圧の電力出力に変換するよう制御でき、また該センサーユニット４３が検出した電力特性は該第１所定範囲内に戻られることができる。通常、定義した第２所定範囲が定義した第１所定範囲より高く、該第１電力ユニット４１が出力した電力を制限させることで、該第１電力ユニット４１の出力電力を制御し、且つ該第１電力ユニット４１を保護できる。
【００３６】
更に、前記制御ユニット４４は、該第２電力供給回路５００内の第２電圧変換ユニット５２に電気的に接続でき、且つ該制御ユニット４４は、該第１電力供給回路４００のセンサーユニット４３が出力した電圧信号に基づき、該第１電力供給回路４００内の第１電圧変換ユニット４２と該第２電力供給回路５００内の第２電圧変換ユニット５２を制御でき、該制御ユニット４４が該第１電力供給回路４００と該第２電力供給回路５００の電力分配の制御を選択させることができるため、該第１電力ユニット４１が出力した電力を予想した大きさの出力電流に維持するよう制御する。
【００３７】
図７は、本発明の燃料電池の出力制御を具備する電力混合装置の第５具体的な実施例を示すデバイス関係図である。本発明の燃料電池の出力制御を具備する電力混合装置は、主に第１電力供給回路７００及び第２電力供給回路８００を含む。該第１電力供給回路７００は第１電力ユニット７１、第１電圧変換ユニット７２、制御ユニット７４及びセンサーユニット７３を含み、第１電力ユニット７１が出力した直流電力は該第１電力供給回路７００を経由して該第１電圧変換ユニット７２まで伝送させることで、直流電力の電圧変換を行って特定電圧の直流電力を出力でき、且つ電圧を変換した後の直流電力は該第１電力供給回路７００を再度経由して該負荷６００まで伝送することで、該負荷６００に要する直流電力を供給できる。該第２電力供給回路８００は、第２電力ユニット８１及び第２電圧変換ユニット８２を含む。更に、本実施例内の各デバイスは前記実施例に示すようになるが、該制御ユニット７４は該第１電力供給回路７００内の第１電圧変換ユニット７２と該第２電力供給回路８００内の第２電圧変換ユニット８２と同期に制御でき、該第１電力供給回路７００の第１電力ユニット７１の電力出力に基づき、該第１電力供給回路７００と該第２電力供給回路８００が各々対応電力の出力を協調制御させることができる。
【００３８】
その他、本発明の各実施例において、該センサーユニットは、第１電力供給回路のいかなる場所に設置でき、該第１電力供給回路内の高電位側（ｈｉｇｈ ｓｉｄｅ）或いは低電位側（ｌｏｗ ｓｉｄｅ）にも設置でき、該制御ユニットの該第１電力供給回路内における位置を制限する必要がないが、該制御ユニットの該第１電力供給回路内における位置によって該第１電力供給回路の出力電力を判断する必要がある。
【００３９】
図８は、本発明の燃料電池の出力制御を具備する電力混合装置の第６具体的な実施例を示すデバイス関係図である。本発明の燃料電池の出力制御を具備する電力混合装置の前記実施例に基づき、本発明の燃料電池の出力制御を具備する電力混合装置は、主に複数の第１電力供給回路７００及び少なくとも１個の第２電力供給回路８００を更に含み、且つ該制御ユニット７４は各第１電力供給回路７００内の第１電圧変換ユニット７２及び該第２電力供給回路８００内の第２電圧変換ユニット８２を同期に制御でき、各第１電力ユニット７１の電力出力に基づき、該制御ユニット７４がこれら第１電力供給回路７００と該第２電力供給回路８００が各々対応する電力の出力を協調制御させることができる。
【００４０】
更に図９は、本発明の第６具体的な実施例の一部デバイス見取図である。前記制御ユニット７４はマイクロコントローラ７４ａを更に含み、且つ各々これら第１電力供給回路７００に対応する複数の第１制御ユニット７４ｂ及び該第２電力供給回路８００に対応する第２制御ユニット７４ｃを含む。該マイクロコントローラ７４ａは論理演算及び論理制御の手段を具備し、これら第１センサーユニット７３が出力した電気信号に基づいて論理演算を行い、且つ対応する電気信号を出力することに用いる。更に、これら第１制御ユニット７４ｂ及び該第２制御ユニット７４ｃは各々該マイクロコントローラ７４ａが出力した電気信号に基づいて各々対応する電圧信号を出力でき、対応するこれら第１電圧変換ユニット７２及び該第２電圧変換ユニット８２が対応の作動を発生させることで、これら第１電力供給回路７００の電流量を監視制御し、並びに各電力回路の出力電力の調整を実現する。
【００４１】
図１０は、本発明の燃料電池の出力制御を具備する電力混合装置の第７具体的な実施例を示したデバイス関係図である。前記本発明の燃料電池の出力制御を具備する電力混合装置の実施例に基づき、前記第１電力供給回路７００は複数の第１電力ユニット７１及び複数の第１電圧変換ユニット７２を含むことができ、且つ前記第２電力供給回路８００は１個の第２電力ユニット８１及び１個の第２電圧変換ユニット８２を含むことができる。該制御ユニット７４は各第１電圧変換ユニット７２及び該第２電圧変換ユニット８２を同期に制御でき、該第１電力ユニット７１の電力出力に基づき、該制御ユニット７４は該第１電力供給回路７００と該第２電力供給回路８００が各々対応する電力の出力を協調制御できる。
【００４２】
図５、図６、図７、図８及び図１０の実施例に基づき、且つ再度図４に示すものを参考にすると、高負荷区の状態において、該制御ユニットは該センサーユニットがフィードバックした信号に基づき該第１電圧変換ユニットと該第２電圧変換ユニットの電圧変換を同時に調整でき、該第１電力供給回路の出力電圧設定値１００４と該第２電力供給回路の出力電圧設定値１００５の高低を交互に行き来させ、且つ該第１電力供給回路と該第２電力供給回路が電力を該負荷まで共同で出力させ、同時に該第１電力供給回路の出力電力１００１と該第２電力供給回路の出力電力１００３の出力電力の総計が該負荷の負荷損失電力１００２に等しくさせる。これにより、本発明の燃料電池の出力制御を具備する電力混合装置は、該第１電力ユニットが安定した電力出力に維持させることができ、且つ同時に該第１電圧変換ユニットと該第２電圧変換ユニットの電圧制御を通じ、並びに該第２電力供給回路の電力出力に合わせて、該負荷の各々低負荷区と高負荷区における電力需要を満たすことができる。
【００４３】
以上本発明につき好適な実施例を挙げて種々説明したが、本発明はこれら実施例により何ら限定されるものではなく、発明の精神を逸脱しない範囲内で行う種々の改変をなし得ることは本発明の特許請求範囲内に含めるものであるのが勿論である。
【図面の簡単な説明】
【００４４】
【図１】本発明の燃料電池の出力制御を具備する電力混合装置の第１具体的な実施例を示したデバイス関係図である。
【図２】本発明の燃料電池の出力制御を具備する電力混合装置の第２具体的な実施例を示したデバイス関係図である。
【図３】本発明の燃料電池の出力制御を具備する電力混合装置の第３具体的な実施例を示したデバイス関係図である。
【図４】本発明の燃料電池の出力制御を具備する電力混合装置の信号制御見取図である。
【図５】本発明の燃料電池の出力制御を具備する電力混合装置の別の信号制御見取図である。
【図６】本発明の燃料電池の出力制御を具備する電力混合装置の第４具体的な実施例を示したデバイス関係図である。
【図７】本発明の燃料電池の出力制御を具備する電力混合装置の第５具体的な実施例を示したデバイス関係図である。
【図８】本発明の燃料電池の出力制御を具備する電力混合装置の第６具体的な実施例を示したデバイス関係図である。
【図９】本発明の第６具体的な実施例の一部デバイス見取図、及び、
【図１０】本発明の燃料電池の出力制御を具備する電力混合装置の第７具体的な実施例を示したデバイス関係図である。
【符号の説明】
【００４５】
１００  第１電力供給回路
１１  第１電力ユニット
１２  第１電圧変換ユニット
１２１  電圧変換回路
１２２  電圧変換制御装置
１２３  判断装置
１３  センサーユニット
１３１  抵抗素子
１３２  電圧差動増幅器
１４３  マイクロプロセッサ
１４  制御ユニット
１４１  分圧ユニット
１４１ａ  第１抵抗素子
１４１ｂ  第２抵抗素子
１４１ｃ  第３抵抗素子
１４１ｄ  電圧信号出力側
１４２  電圧発生装置
１４２ａ  パルス信号発生装置
１４２ｂ  パルス信号−電圧信号変換回路
１４２ｄ  第２電圧差動増幅器
２００  第２電力供給回路
２１  第２電力ユニット
２２  第２電圧変換ユニット
３００  負荷
４００  第１電力供給回路
４１  第１電力ユニット
４２  第１電圧変換ユニット
４３  センサーユニット
４４  制御ユニット
５００  第２電力供給回路
５１  第２電力ユニット
５２  第２電圧変換ユニット
６００  負荷
７００  第１電力供給回路
７１  第１電力ユニット
７２  第１電圧変換ユニット
７３  第１センサーユニット
７４  制御ユニット
７４ａ  マイクロコントローラ
７４ｂ  第１制御ユニット
７４ｃ  第２制御ユニット
８００  第２電力供給回路
８１  第２電力ユニット
８２  第２電圧変換ユニット
９００  負荷
１００１  第１電力供給回路の出力電力
１００２  負荷損失電力
１００３  第２電力供給回路の出力電力
１００４  第１電力供給回路の出力電圧設定値
１００４ａ  第１電圧設定値
１００４ｂ  第２電圧設定値
１００４ｃ  第３電圧設定値
１００４ｄ  第４電圧設定値
１００５  第２電力供給回路の出力電圧設定
【図１】
2009146895.tif 000003
【図２】
2009146895.tif 000004
【図３】
2009146895.tif 000005
【図４】
2009146895.tif 000006
【図５】
2009146895.tif 000007
【図６】
2009146895.tif 000008
【図７】
2009146895.tif 000009
【図８】
2009146895.tif 000010
【図９】
2009146895.tif 000011
【図１０】
2009146895.tif 000012